(57)【要約】【課題】  簡単な構成で光軸方向の長さを短くでき、フォグランプの取付スペースを確保し易くすることができるフォグランプを提供する。【解決手段】  キセノンバルブ５のバルブセンターをリフレクタ１の略焦点に合致させるとともに、フォグランプの光軸とキセノンバルブ５の管軸とがリフレクタ１の略焦点で略直角に交わるようにキセノンバルブ５を取り付けるように、リフレクタ１の側壁に、キセノンバルブ５の略管軸と交わる位置を中心としてキセノンバルブ５が挿入される挿入穴１０と、キセノンバルブ５を固定するホルダー８とを備える。【選択図】        図１
2005123146.tif 000002
【特許請求の範囲】
【請求項１】
リフレクタ及びキセノンバルブを備えた自動車用のフォグランプにおいて、
前記キセノンバルブのバルブセンターを前記リフレクタの略焦点に合致させるとともに、前記フォグランプの光軸と前記キセノンバルブの管軸とが前記リフレクタの略焦点で略直角に交わるように取り付けたことを特徴とするフォグランプ。
【請求項２】
リフレクタの側壁に、キセノンバルブの略管軸と交わる位置を中心として設けられ、前記キセノンバルブが挿入される挿入穴と、
前記キセノンバルブを固定するホルダーと、
を備えたことを特徴とする請求項１記載のフォグランプ。
【請求項３】
既存のリフレクタの側壁に、キセノンバルブの略管軸と交わる位置を中心として設けられ、前記キセノンバルブが挿入される挿入穴と、
前記キセノンバルブを固定するホルダーと、
を備えたことを特徴とする請求項２記載のフォグランプ。
【請求項４】
キセノンバルブの挿入穴に対向したリフレクタの側面部に前記キセノン光バルブの先端部が当たらないように逃がし穴を設けたことを特徴とする請求項２または３記載のフォグランプ。
【発明の詳細な説明】
【技術分野】
【０００１】
この発明は、フォグランプに係り特に長さの短いフォグランプに関する。
【背景技術】
【０００２】
図５は従来のフォグランプの側面図、図６は図１の上面図、図７は図５の断面図、図７は図２の断面図、図８は図６の断面図である。
図５〜８において、リフレクタ１０１は、ハウジングを兼ねており内面が鏡面となっている。リフレクタ１０１は２分割され、前方の開口部にレンズ２を挟みクランプ７で固定されている。また、リフレクタ１０１の内部には遮光板３が設けられ、リフレクタ１０１の背面にキセノンバルブ５の挿入穴４が設けられている。
【０００３】
キセノンバルブ５はバルブセンター５ａ、ガラス管部５ｂ、台座５ｃから構成されており、挿入穴４にキセノンバルブ５のガラス管部５ｂが挿入され、ホルダー１０８に台座部５ｃがクランプ（図示せず）で固定される。
そして、キセノンバルブ５はイグナイター付バルブソケット６に接続される。
【０００４】
また、従来のキセノンランプを使用したヘッドライトは、ランプの光軸とヘドライトの光軸が一致している（例えば、特許文献１参照）。
【０００５】
【特許文献１】実開平８−１４２（段落００１４，図４）
【発明の開示】
【発明が解決しようとする課題】
【０００６】
このように、従来のキセノンバルブ５を使用したフォグランプは、キセノンバルブ５の管軸とフォグランプの光軸は一致しているので、光軸方向の長さが長くなり、さらに、イグナイター付きバルブソケット６が接続されたとき全長はさらに長くなていた。一方、近年、フオグランプが一般に取り付けられるバンパーの前後方向の長さが短くなる傾向にあり、フォグランプの取付スペースの確保に問題があった
【０００７】
この発明は、上記の課題を解決するためになされたものであり、簡単な構成で光軸方向の長さを短くでき、フォグランプの取付スペースを確保し易くすることができるフォグランプを提供することを目的とする。
【課題を解決するための手段】
【０００８】
この発明は、リフレクタ及びキセノンバルブを備えた自動車用のフォグランプにおいて、前記キセノンバルブのバルブセンターを前記リフレクタの略焦点に合致させるとともに、前記フォグランプの光軸と前記キセノンバルブの管軸とが前記リフレクタの略焦点で略直角に交わるように取り付けたものである。
【０００９】
また、リフレクタの側壁に、キセノンバルブの略管軸と交わる位置を中心として設けられ、前記キセノンバルブが挿入される挿入穴と、前記キセノンバルブを固定するホルダーと、を備えたものである。
【００１０】
また、既存のリフレクタの側壁に、キセノンバルブの略管軸と交わる位置を中心として設けられ、前記キセノンバルブが挿入される挿入穴と、前記キセノンバルブを固定するホルダーと、を備えたものである。
【００１１】
また、キセノンバルブの挿入穴に対向したリフレクタの側面部に前記キセノン光バルブの先端部が当たらないように逃がし穴を設けたものである。
【発明の効果】
【００１２】
この発明は、リフレクタ及びキセノンバルブを備えた自動車用のフォグランプにおいて、前記キセノンバルブのバルブセンターを前記リフレクタの略焦点に合致させるとともに、前記フォグランプの光軸と前記キセノンバルブの管軸とが前記リフレクタの略焦点で略直角に交わるように取り付けたので、簡単な構成で、光軸方向の長さを短くすることができ、フォグランプの取付スペースを確保し易くすることができる。
【００１３】
また、リフレクタの側壁に、キセノンバルブの略管軸と交わる位置を中心として設けられ、前記キセノンバルブが挿入される挿入穴と、前記キセノンバルブを固定するホルダーと、を備えたので、簡単な構成で、光軸方向の長さを短くすることができ、フォグランプの取付スペースを確保し易くすることができる。
【００１４】
また、既存のリフレクタの側壁に、キセノンバルブの略管軸と交わる位置を中心として設けられ、前記キセノンバルブが挿入される挿入穴と、前記キセノンバルブを固定するホルダーと、を備えたので、リフレクタ成形用の金型等を新規に用意しなくとも、既存のリフレクタに簡単な後加工をするだけでリフレクタを得ることができ、既存のフォグランプを利用することができる。
【００１５】
また、キセノンランプソケット挿入穴に対向したリフレクタの側面部に前記キセノンランプの先端部が当たらないように逃がし穴を設けたので、リフレクタのサイズにかかわらずキセノンバルブの選択を自由にすることができる。
【発明を実施するための最良の形態】
【００１６】
図１はフォグランプの側面図と背面図、図２は図１の上面図、図３は図１の断面図、図４は図２の断面図である。
図１〜４において、リフレクタ１は、ハウジングを兼ねており内面が鏡面となっており、前方にはレンズが設けられている。リフレクタ１は２分割され、前方の開口部にレンズ２を挟みクランプ７で固定されている。また、リフレクタ１の内部には遮光板３が設けられている。
【００１７】
キセノンバルブ（キセノン光源）５はバルブセンター５ａ、ガラス管部５ｂ、台座５ｃから構成されており、キセノンバルブ５のバルブセンター５ａをリフレクタ１の略焦点に合致させるとともに、フォグランプの光軸とキセノンバルブ５の管軸とがリフレクタ１の略焦点で略直角に交わるように取り付けられている。
【００１８】
リフレクタ１の側壁には、キセノンバルブ５の略管軸と交わる位置を中心としてキセノンバルブ５が挿入される挿入穴１０を設け、また、キセノンバルブ５のバルブセンター５ａをリフレクタ１の略焦点に合致させるようにキセノンバルブ５を固定するホルダー８がリフレクタ１の外側面のネジ穴（図示せず）にネジ９で固定され、フォルダー８にはキセノンバルブ５の台座５ｃが挿入される挿入穴８ａが設けられている。
【００１９】
また、キセノンバルブ５の挿入穴１０に対向したリフレクタ１の側面部にキセノンバルブ５の先端部が当たらないように逃がし穴１１が設けられている。
【００２０】
なお、リフレクタ１は従来例の図５〜８で示したリフレクタ１０１に、挿入穴１０、逃がし穴１１を後加工により設けてこの発明のリフレクタ１が形成され、従来例のリフレクタ１０１の背面に設けた挿入穴４はそのまま残している。
【００２１】
また、ホルダー８は従来例の図５で示したホルダー１０８を利用するか、別途作成し、ホルダー８を固定するためのネジ９がねじ込まれるネジ穴をリフレクタ１に加工する。
【００２２】
次に、このフオグランプの加工、組立について説明する。従来例の図５〜８で示した既存のリフレクタ１０１、ホルダー１０８、キセノンバルブ５を外し、リフレクタ１０１の略焦点からリフレクタ１の光軸に直交するように下した線が交わる位置を中心として、キセノンバルブ５が挿入できるようにリフレクタ１の側壁に挿入穴１０を加工する。
また、挿入穴１０に対向したリフレクタ１０１の側面部にキセノンバルブ５の先端部が当たらないように逃がし穴１１を加工する。
【００２３】
次に、フォグランプの組立は、ホルダー８をネジ９でリフレクタ１に固定し、キセノンバルブ５をホルダー８の挿入穴８ａ及びリフレクタ１の挿入穴１０に挿入し、リフレクタ１の台座５ｃをホルダー８にクランプ（図示せず）で固定する。そして、キセノンバルブ５をイグナイター付バルブソケット６に接続する。
【００２４】
このように組み立てることにより、キセノンバルブセンター５ａが、従来のリフレクタ１０１にキセノンバルブ５が取り付けられていたときの、キセノンバルブセンター５ａと合致し、従来例と同様な照射光が得られる。
【００２５】
なお、本実施の形態では従来例で用いた既存のリフレクタ１０１を加工したものを示したので挿入穴４は残ったままであったが、既存のリフレクタ１０１を使用せず、新規に作り挿入穴４を除いたものでもよい。
【図面の簡単な説明】
【００２６】
【図１】この発明のフォグランプの側面図と背面図である。
【図２】図１の上面図である。
【図３】図１の断面図である。
【図４】図２の断面図である。
【図５】従来のフォグランプの側面図である。
【図６】図５の上面図である。
【図７】図５の断面図である。
【図８】図６の断面図である。
【符号の説明】
【００２７】
１  リフレクタ、２  レンズ、５  キセノンバルブ、８  ホルダー、１０  挿入穴、１１  逃がし穴。
【図１】
2005123146.tif 000003
【図２】
2005123146.tif 000004
【図３】
2005123146.tif 000005
【図４】
2005123146.tif 000006
【図５】
2005123146.tif 000007
【図６】
2005123146.tif 000008
【図７】
2005123146.tif 000009
【図８】
2005123146.tif 000010